(57)【特許請求の範囲】
【請求項１】
おむつ着用者に対する身体当接面と着衣当接面とを有し、前記着衣当接面におむつを丸めた状態に保持することができる廃棄用の粘着性テープが設けられた使い捨ておむつにおいて；
前記粘着性テープが前記着衣当接面における同一直線上に配置された第１テープと第２テープとからなり；
前記第１テープは、その両端部が前記直線の一方向へ向くように二つに折曲されて重ねられ、前記着衣当接面側に位置する第１内側テープ部と、第１折曲部を介して前記第１内側テープ部に外側から重なる第１外側テープ部とを有し、
前記第１内側テープ部は、前記着衣当接面と向かい合う面が該第１内側テープ部の前記端部近傍において前記着衣当接面に固定される一方、前記第１折曲部位の近傍において前記着衣当接面からの離間域を有しており、
前記第１外側テープ部は、前記第１内側テープ部と向かい合う面の少なくとも一部分に粘着剤が塗布されていて前記第１内側テープ部に剥離可能に仮止めされており；
前記第２テープは、その両端が前記直線の前記一方向とは反対の方向へ向くように二つに折曲されて重ねられ、前記着衣当接面側に位置する第２内側テープ部と、第２折曲部を介して前記第２内側テープ部に外側から重なる第２外側テープ部とを有し、少なくとも該第２テープの一部分が前記第１テープの前記第１折曲部位近傍における前記離間域に位置しており、
前記第２内側テープ部は、それと向かい合う前記着衣当接面に固定され、
前記第２外側テープ部は、それと向かい合う前記第１内側テープ部に固定されている；
ことを特徴とする前記おむつ。
【請求項２】
前記第１テープは、前記第１折曲部の近傍において前記第２テープの前記第２内側テープ部又は前記着衣当接面の外面に対して接着剤を介して剥離可能に止めてある請求項１記載のおむつ。
【請求項３】
前記第１テープは、その長手方向へ弾性的に伸長可能である請求項１記載のおむつ。
【発明の詳細な説明】
【０００１】
【発明の属する技術分野】
この発明は、使い捨ておむつに関する。
【０００２】
【従来の技術】
実開昭５８−２２９０８号公報に開示の使い捨ておむつは開放型のもので、背側部の幅方向中央部では外面シートの外面に接着テープ片が取り付けられている。接着テープ片は、おむつの縦方向へ直線状に延び、上下両端部のうちの下端部内面が外面シートに固定され、上端部内面には粘着剤が塗布されている。排泄物によって汚れたおむつは、接着テープ片によって丸めた状態に保持しておくことができる。同公報には、接着テープ片の上端部を腰周り部から外方向へ突出させる例と、上端部を吸収体の周縁内側に位置させて、その周縁から腰周り部へは突出させない例とが図示されている。
【０００３】
実公平８−１０３０５号公報に開示の使い捨ておむつはパンツ型のものであって、背側部の幅方向中央部では、長さ方向をおむつの上下方向に向けたテープファスナーがその長さ方向に折りたたんだ状態で外面シートの外面に取り付けられている。このテープファスナーを伸展すると、止着部である自由端部がおむつウエスト部の開口縁を越えて延び、丸めたおむつを開くことがないようにその自由端部で止めておくことができる。同公報には、Ｚ字型を呈するようにテープファスナーを三つ折りにしたり、四つ折りにしたりする例が図示されている。
【０００４】
【発明が解決しようとする課題】
前記公知例のおむつでは、接着テープ片およびテープファスナーのいずれもが、下端部を外面シートに固定され、自由端部である上端部がその固定された下端部からおむつの上方ヘ向かって延びている。これらの接着テープ片やテープファスナーは、下端部から上端部へ向かうテープの長手方向へ直線的に引張られるのであれば、外面シートから剥離するということはないが、それとは逆に上端部から下端部方向へ向かって引張られる場合には、テープと外面シートとの間に剥離力が作用してテープが外面シートから極めて容易に剥離するということがある。
【０００５】
この発明は、前記公知のおむつの改良に係り、使い捨ておむつを丸めて廃棄するときに使用する粘着性テープがおむつの上下方向どちらに引張られても、おむつから簡単に剥離することがないようにすることを課題にしている。
【０００６】
【課題を解決するための手段】
前記課題解決のために、この発明が対象とするのは、おむつ着用者に対する身体当接面と着衣当接面とを有し、前記着衣当接面におむつを丸めた状態に保持することができる廃棄用の粘着性テープが設けられた使い捨ておむつである。
【０００７】
かかる使い捨ておむつにおいて、この発明が特徴とするところは、次のとおりである。前記粘着性テープが前記着衣当接面における同一直線上に配置された第１テープと第２テープとからなる。前記第１テープは、その両端部が前記直線の一方向へ向くように二つに折曲されて重ねられ、前記着衣当接面側に位置する第１内側テープ部と、第１折曲部を介して前記第１内側テープ部に外側から重なる第１外側テープ部とを有する。  前記第１内側テープ部は、前記着衣当接面と向かい合う面が該第１内側テープ部の前記端部近傍において前記着衣当接面に固定される一方、前記第１折曲部位の近傍において前記着衣当接面からの離間域を有する。前記第１外側テープ部は、前記第１内側テープ部と向かい合う面の少なくとも一部分に粘着剤が塗布されていて前記第１内側テープ部に剥離可能に仮止めされている。前記第２テープは、その両端が前記直線の前記一方向とは反対の方向へ向くように二つに折曲されて重ねられ、前記着衣当接面側に位置する第２内側テープ部と、第２折曲部を介して前記第２内側テープ部に外側から重なる第２外側テープ部とを有し、少なくとも該第２テープの一部分が前記第１テープの前記第１折曲部位近傍における前記離間域に位置している。前記第２内側テープ部は、それと向かい合う前記着衣当接面に固定されている。前記第２外側テープ部は、それと向かい合う前記第１内側テープ部に固定されている。
【０００８】
かかるこの発明は、次のような好ましい実施の形態を含む。
（１）前記第１テープは、前記第１折曲部の近傍において前記第２テープの前記第２内側テープ部又は前記着衣当接面の外面に対して接着剤を介して剥離可能に止めてある。
（２）前記第１テープがその長手方向へ弾性的に伸長可能である。
【０００９】
【発明の実施の形態】
添付の図面を参照して、この発明に係る使い捨ておむつの詳細を説明すると、以下のとおりである。
【００１０】
図１に部分破断斜視図で示された使い捨ておむつ１は、パンツ型のもので、図はそれを後方から見たものである。おむつ１は、おむつ着用者の肌に当接する内面が透液性内面シート２によって形成され、おむつ着用者の着衣に当接する外面が不透液性外面シート３によって形成され、これら両シート２，３間に吸液性コア４が介在している。かかるおむつ１は、着用者の前胴周り、後胴周りおよび股部を覆うことができるように、前胴周り域６と、後胴周り域７と、股下域８とを有し、前後胴周り域６，７は側縁部どうしが上下方向へ間欠的に並ぶ溶着部位９において接合している。コア４は、おむつ１の下方に位置する股下域８から上方へ延び、前後胴周り域６，７それぞれにおいて胴周り方向ヘ延びている上部端縁１６と１７とを有する。おむつ１はまた、胴周り開口１１と一対の脚周り開口１２とを有し、それぞれの開口１１，１２の周縁部においてコア４の縁から延出した内外面シート２，３が重なり合って接合することによりフラップ部１８，１９を形成し、それぞれのフラップ部１８，１９の周り方向には胴周り弾性部材１３と脚周り弾性部材１４とが延びている。これら弾性部材１３，１４は、内外面シート２，３の少なくとも一方の内面に伸長状態で接合している。おむつ１の後胴周り域７における外面シート３の外面には、後胴周り域７の幅を２等分する中心線Ｃ−Ｃ上に粘着性テープ２１が取り付けられている。
【００１１】
図２は、図１のＣ−Ｃ線切断面を示す図面である。粘着性テープ２１は、後胴周り域７において、コア４の上部端縁１７よりも下方（図の右方）に位置し（図１を併せて参照）、内面シート２と外面シート３とコア４とが重なり合う部位の外面シート３に対して取り付けられている。かかる粘着性テープ２１は、止着用テープ２２と補強用テープ２３とからなり、止着用テープ２２は、二つ折りに重ねられていて両端部２６，２７がおむつ１の上方（図２の左方）へ向いている。補強用テープ２３は、二つに折り重ねられていて両端部２８，２９がおむつ１の下方（図２の右方）へ向いている。止着用テープ２２の端部２７は、このテープ２２を図３のように伸展するときの摘持部である。
【００１２】
二つに折り重ねられている止着用テープ２２は、おむつ着用者の着衣（図示せず）に当接する外面シート３の外面３ａ側に位置する内側テープ部３１と、内側テープ部３１に外側から重なる外側テープ部３２とからなり、これらのテープ部３１，３２が折曲部３３でつながっている。内側テープ部３１は、端部２６近傍の固定部３４と、固定部３４の下方（図２の右方）に位置して折曲部３３にまで延びる自由変形部３６とを有し、固定部３４が接着剤３７を介して外面シート３に対して剥離することがないように固定されている。自由変形部３６は、端部２７を持って止着用テープ２２を矢印Ａ方向へ引張ったときに図２の下方に位置する補強用テープ２３の第２連結部４２と共に反転する（図３参照）部位である。外側テープ部３２は、内側テープ部３１と向かい合う内面に、端部２７と折曲部３３の近傍を除いて粘着剤３８が塗布されている。粘着剤３８が当接する内側テープ部３１の内面は、粘着剤３８の剥離が容易となるように離型剤（図示せず）が塗布されており、外側テープ部３２は内側テープ部３１に対して剥離可能に仮止めされている。
【００１３】
補強用テープ２３は、外面シート３の外面３ａ側に位置する第１連結部４１と、第１連結部４１に外側から重なる第２連結部４２とを有し、これら両連結部４１，４２が折曲部４３でつながっている。かかる補強用テープ２３は、少なくとも折曲部４３の近傍が外面シート３と止着用テープ２２における内側テープ部３１の自由変形部３６との間、すなわち、外面シート３からの離間部Ｓに介在している。第１連結部４１は、接着剤４４によって外面シート３に固定され、第２連結部４２は、内側テープ部３１における自由変形部３６に接着剤４６ａによって固定されている。
【００１４】
止着用テープ２２の自由変形部３６と補強用テープ２３の第２連結部４２とがこのように固定された状態にあって、自由変形部３６は、折曲部３３の近傍を例えば接着剤４６ｂによって補強用テープ２３の第１連結部４１や外面シート３の外面３ａに対して剥離可能に止めておくことが可能で、そのようにするとおむつ１を着用しているときに折曲部３３近傍が外面シート３から浮き上がることを防止できる。
【００１５】
図３は、図２の粘着性テープ２１において、止着用テープ２２の端部２７を摘み、外側テープ部３２を内側テープ部３１から剥離して矢印Ａ方向へ引張ったときの図面である。外側テープ部３２を図のように引張ると、補強用テープ２３では、図２で右方へ延びていた第２連結部４２が反転し、図の左方、即ち外側テープ部３２が延びる方向へ向きを変える。止着用テープ２２の端部２７は、第２連結部４２が反転することによって、第２連結部４２の長さに相当する長さだけ図２の位置よりも左方へ移動する。図示例のおむつ１では、図２においてコア４の上端縁１７よりも右方に位置していた止着用テープ２２の端部２７が上端縁１７を越え、フラップ部１８の上方にまで延びている。
【００１６】
図３において、第２連結部４２が反転している補強用テープ２３は、おむつ１の上下方向へほぼ直線状に延びるものとなる。この状態で止着用テープ２２の端部２７をさらに引張ると、補強用テープ２３が緊張状態となり、止着用テープ２２を引張る力が固定部３４にまでは及ばない。補強用テープ２３がこのように作用すると、止着用テープ２２が仮想線で示されているような状態となることによって固定部３４の接着剤３７に剥離力が及ぶという事態を未然に防止できる。それゆえ、止着用テープ２２は外面シート３から剥離するということがない。
【００１７】
図４は、粘着性テープ２１を使用して丸められているおむつ１の斜視図である。汚れたおむつ１は、図３においてコア４の上端縁１７から延出しているフラップ部分１８を上端縁１７に沿って矢印Ｂ方向へ折曲し、止着用テープ２２を粘着剤３８によっておむつ１の股下域８や前胴周り域６等に止着し、おむつ１を丸めた状態に保持する。このようにしておむつ１を廃棄すれば、溶着部位９で接合されていた前後胴周り域６，７の側縁部を引き裂くことによって脱がせたおむつ１でも、それを廃棄するときに排泄物で汚れた部分が露出せず、衛生上好ましい。
【００１８】
かようなおむつ１における粘着性テープ２１は、使用する前には短くなるように折り重ねられていておむつ１を着用しているときに邪魔になることがなく、使用するときには止着用テープ２２が第２連結部４２の長さだけおむつ１の上方へ向かって長く延びるので使い易い。また、止着用テープ２２が長く延びるときには、補強用テープ２３の作用で止着用テープ２２がおむつ１から剥離することを防止できる。このような防止効果を奏するための止着用テープ２２と補強用テープ２３とは、図に示されるそれぞれの寸法ＰとＱがＱ／（Ｐ＋Ｑ）＝０．１〜０．６、より好ましくは０．２〜０．５となるように設定される。寸法Ｐは、止着用テープ２２における内側テープ部３１の端部２６から補強用テープ２３の折曲部４３までの長さであり、Ｑは補強用テープ２３の第１連結部４１の長さである。粘着性テープ２１は、止着用テープ２２と補強用テープ２３とにプラスチックィルムを使用することができる。
【００１９】
止着用テープ２２には、その長手方向へ弾性的に伸長可能なプラスチックフィルムを使用することもできる。そのような止着用テープ２２に対しては、補強用テープ２３として止着用テープ２２よりも剛性が高く小じわが生じ難いプラスチックフィルムを使用すると、図２のように外面シート３に固定されている粘着性テープ２１において、接着剤４６ｂで仮止めされている止着用テープ２２の折曲部３３近傍は、補強用テープ２３から徒に剥がれることがない。また、このような折曲部３３は、おむつ１の着用中に外面シート３から浮き上がることがないので、折曲部３３は着衣などに引っ掛かることがない。
【００２０】
図５は、この発明の実施態様の一例を示す図１と同様な図面である。このおむつ１は、前後胴周り域６，７の少なくとも一方、図示例であれば後胴周り域７に、コア４を横断して胴周り方向へ伸長状態で延びる複数条の弾性部材５１を有する。弾性部材５１は、外面シート３とコア４との間に、または外面シート３が２枚以上のシートで形成されている場合には、それらシートの間に位置し得るもので、その収縮作用によってコア４をおむつ着用者の肌に密着させるように作用する。かような弾性部材５１の収縮は、外面シート３に多数の小じわを発生させる傾向にある。しかし、図示例のように弾性部材５１の近傍または直上の部位に粘着性テープ２１が取り付けられているときに、テープ２１にまでそのような小じわが生じないようにすることが好ましい。この発明では、そのような小じわを防ぐために、止着用テープ２２や補強用テープ２３に、ＪＩＳ  Ｌ  １０９６のセクション６．２０に規定のＡ法によって測定されるガーレ剛軟度が０．１〜１ｍＮ／２５．４ｍｍの範囲にあるプラスチックフィルムを使用する。この場合のガーレ剛軟度は、粘着剤が塗布されたフィルムについて測定する。ただし、そのフィルムは、粘着剤にタルカムパウダーを塗布したうえで測定器にセットする。このような剛軟度を有するフィルムであれば、弾性部材５１が存在してもその表面を平坦な状態に維持することができて、おむつ１の着用中に接着剤４６ｂによる止着用テープ２２と補強用テープ２３との仮止めが徒に剥がれるということがない。いうまでもないことながら、こうしたフィルムでは、胴周り弾性部材１３や脚周り弾性部材１４の作用によって小じわが生じることもない。
【００２１】
この発明において、それぞれ１枚のフィルムで形成されている図示例の止着用テープ２２と補強用テープ２３とは、性状の異なる複数枚のフィルムをつなぎ合わせることで形成されていてもよい。また、図示例において中心線Ｃ−Ｃ上に位置する粘着性テープ２１は、おむつ１の適宜の部位に、適宜の方向へ向けて複数本取り付けることができる。この発明は、開放型のおむつで実施することもできる。
【００２２】
【発明の効果】
この発明に係る使い捨ておむつでは、おむつを丸めて廃棄するときに使用する粘着性テープが第１テープ（止着用テープ）と第２テープ（補強用テープ）とからなり、第１テープでは二つに折り重ねられたうちの第１内側テープ部の端部のみがおむつの外面に固定され、第１内側テープ部の折曲部位近傍には第１テープとは反対の方向へ二つに折り重ねられている第２テープの第２外側テープ部（第２連結部）が固定される一方、第２テープの第２内側テープ部がおむつの外面に固定されているから、この粘着性テープを使用するときに第１テープの第１外側テープ部を強く引張っても、粘着性テープはおむつから剥離するということがない。
【図面の簡単な説明】
【図１】  使い捨ておむつの部分破断斜視図。
【図２】  図１のＣ−Ｃ線切断面を示す図。
【図３】  止着用テープが延びた状態にある図２と同様な図面。
【図４】  丸められた使い捨ておむつの斜視図。
【図５】  実施態様の一例を示す図１と同様な図面。
【符号の説明】
１      使い捨ておむつ
２１      粘着性テープ
２２      第１テープ（止着用テープ）
２３      第２テープ（補強用テープ）
２６      端部
２７      端部
２８      端部
２９      端部
３１      第１内側テープ部
３２      第１外側テープ部
４１      第２内側テープ部（第１連結部）
４２      第２外側テープ部（第２連結部）
Ｃ−Ｃ      直線（中心線）
Ｓ        離間部
【図１】
0003754333.tif 000002
【図２】
0003754333.tif 000003
【図３】
0003754333.tif 000004
【図４】
0003754333.tif 000005
【図５】
0003754333.tif 000006